(57)【要約】【課題】  外部映像ソースから入力される映像信号を用いて、接続される複数の映像ソースに関するソース情報をユーザに提供できるディスプレイ装置及びその制御方法を提供する。【解決手段】  本発明に係るディスプレイ装置１００は、ディスプレイ部１１０、複数の映像ソースから映像信号を受信する映像受信部１２０、受信された映像信号のいずれか一つに対応するメイン映像を生成するように制御するメイン制御部１３０、映像受信部１２０を介して接続される映像ソースに関するソース情報を生成するように制御し、該ソース情報に、受信された映像信号に対応する映像が表示されるように制御するグラフィック制御部１４０を備える。【選択図】      図２
2014014075.tif 000002
【特許請求の範囲】
【請求項１】
ディスプレイ部と、
複数の映像ソースから映像信号を受信する映像受信部と、
前記受信される映像信号のいずれか一つに対応するメイン映像を生成するように制御するメイン制御部と、
前記映像受信部を介して接続される映像ソースに関するソース情報を生成するように制御し、該ソース情報に、前記受信される映像信号に対応する映像が表示されるように制御するグラフィック制御部と、
を備えることを特徴とするディスプレイ装置。
【請求項２】
前記メイン映像を含むビデオレイヤを生成するビデオ生成部と、
前記ソース情報を含むグラフィックレイヤを生成するグラフィック生成部と、
をさらに備えることを特徴とする請求項１に記載のディスプレイ装置。
【請求項３】
前記メイン制御部は、前記ビデオレイヤと前記グラフィックレイヤとを合成して前記ディスプレイ部に表示する、
ことを特徴とする請求項１又は２に記載のディスプレイ装置。
【請求項４】
前記映像受信部は、前記映像信号を切り替えるスイッチング部を有し、
前記メイン制御部は、前記メイン映像が前記ビデオ生成部に入力され、前記受信される映像信号のうち前記メイン映像以外のサブ映像が前記グラフィック生成部に入力されるように前記スイッチング部を制御する、
ことを特徴とする請求項２に記載のディスプレイ装置。
【請求項５】
前記グラフィック制御部は、入力される前記サブ映像が前記ソース情報に表示されるように前記グラフィック生成部を制御する、
ことを特徴とする請求項４に記載のディスプレイ装置。
【請求項６】
前記メイン映像及び前記サブ映像が別個のインターフェースを介してそれぞれ前記ビデオ生成部及び前記グラフィック生成部に入力される、
ことを特徴とする請求項４又は５に記載のディスプレイ装置。
【請求項７】
前記メイン映像がＨＤＭＩを介して前記ビデオ生成部に入力され、前記サブ映像がＵＳＢまたはＰＣＩのいずれか一つを介して前記グラフィック生成部に入力される、
ことを特徴とする請求項４乃至６の何れか一項に記載のディスプレイ装置。
【請求項８】
前記ソース情報に含まれる映像のキャプチャーイメージ及び前記映像ソースに対応するアイコンイメージを記憶する記憶部をさらに備える、
ことを特徴とする請求項１乃至７の何れか一項に記載のディスプレイ装置。
【請求項９】
前記グラフィック制御部は、前記映像ソースの少なくとも一つがオフになった場合に、前記記憶部に記憶された前記キャプチャーイメージまたは前記アイコンイメージを前記ソース情報に含めて生成するように制御する、
ことを特徴とする請求項８に記載のディスプレイ装置。
【請求項１０】
少なくとも一つの映像ソースから映像信号を受信する段階と、
受信した映像信号のいずれか一つに対応するメイン映像を生成する段階と、
接続される前記映像ソースに関するソース情報を生成する段階と、を含み、
前記ソース情報は、前記受信した映像信号に対応する映像を含む、
ことを特徴とするディスプレイ装置の制御方法。
【請求項１１】
前記メイン映像と前記ソース情報とを合成して表示する段階をさらに含む、
ことを特徴とする請求項１０に記載のディスプレイ装置の制御方法。
【請求項１２】
前記ソース情報を生成する段階は、前記受信した映像信号のうち、前記メイン映像以外のサブ映像を前記ソース情報に含めて生成する、
ことを特徴とする請求項１０又は１１に記載のディスプレイ装置の制御方法。
【請求項１３】
前記メイン映像及び前記サブ映像はそれぞれ別個のインターフェースを介して別個の経路で処理される、
ことを特徴とする請求項１２に記載のディスプレイ装置の制御方法。
【請求項１４】
前記メイン映像及び前記サブ映像をそれぞれの経路に切り替える段階をさらに含む、
ことを特徴とする請求項１２又は１３に記載のディスプレイ装置の制御方法。
【請求項１５】
前記サブ映像のキャプチャーイメージを記憶する段階をさらに含み、
前記ソース情報は、前記映像ソースの少なくとも一つがオフになった場合に、前記サブ映像のキャプチャーイメージまたは前記映像ソースに対応するアイコンイメージを含む、
ことを特徴とする請求項１２乃至１４の何れか一項に記載のディスプレイ装置の制御方法。
【発明の詳細な説明】
【技術分野】
【０００１】
本発明は、ディスプレイ装置及びその制御方法に関し、特に、外部映像ソースが接続され、該ソースから映像信号を受信して表示することができるディスプレイ装置及びその制御方法に関する。
【背景技術】
【０００２】
ディスプレイ装置は、外部の映像供給源から映像信号を受信し、それを処理して表示できる装置であり、ＴＶシステムが挙げられる。最近のデジタルＴＶシステムは、放送信号だけでなく、ＤＶＤプレーヤー、ＰＣ、セットトップボックスなどの種々の外部映像ソースから映像信号を受信して表示することができる。
【０００３】
このような外部映像ソースから映像信号を受信するには、ディスプレイ装置と外部映像ソース間のデータ伝達経路に該当するインターフェースが必要であり、映像信号のインターフェース規格に、ＶＧＡ（Ｖｉｄｅｏ  Ｇｒａｐｈｉｃ  Ａｒｒａｙ）、ＤＶＩ（Ｄｉｇｉｔａｌ  Ｖｉｓｕａｌ  Ｉｎｔｅｒｆａｃｅ）などが用いられている。最近では、映像信号の他、音声信号及び追加情報も共に伝送可能なＨＤＭＩ（登録商標：Ｈｉｇｈ  Ｄｅｆｉｎｉｔｉｏｎ  Ｍｕｌｔｉｍｅｄｉａ  Ｉｎｔｅｒｆａｃｅ）が広く用いられている。
【０００４】
一方、ディスプレイ装置は、種々の外部映像ソースと接続するように、それぞれのインターフェース規格に基づく複数のインターフェースポートを備えているが、この場合、それぞれのポートにいかなる外部映像ソースが接続されたかに関する情報をユーザーに知らせることが必要である。
【０００５】
従来のディスプレイ装置では、接続される外部映像ソースに関する情報がテキストの形態で簡略に表示されるだけで、ユーザーにとっては、いかなる映像ソースからいかなるコンテンツが受信されているか確認し難いという不具合があった。
【発明の概要】
【発明が解決しようとする課題】
【０００６】
本発明の目的は、外部映像ソースから入力される映像信号を用いて、接続される複数の映像ソースに関するソース情報をユーザーに提供することができるディスプレイ装置及びその制御方法を提供することにある。
【課題を解決するための手段】
【０００７】
上記目的を達成するために、ディスプレイ部と、複数の映像ソースから映像信号を受信する映像受信部と、前記受信される映像信号のいずれか一つに対応するメイン映像を生成するように制御するメイン制御部と、前記映像受信部を介して接続される映像ソースに関するソース情報を生成するように制御し、該ソース情報に、前記受信される映像信号に対応する映像が表示されるように制御するグラフィック制御部と、を備えることを特徴とする、ディスプレイ装置が提供される。
【０００８】
前記ディスプレイ装置は、前記メイン映像を含むビデオレイヤを生成するビデオ生成部と、前記ソース情報を含むグラフィックレイヤを生成するグラフィック生成部と、をさらに備えてもよい。
【０００９】
ここで、前記メイン制御部は、前記ビデオレイヤと前記グラフィックレイヤとを合成して前記ディスプレイ部に表示してもよい。
【００１０】
ここで、前記映像受信部は、前記映像信号を切り替えるスイッチング部を有し、前記メイン制御部は、前記メイン映像が前記ビデオ生成部に入力され、前記受信される映像信号のうち前記メイン映像以外のサブ映像が前記グラフィック生成部に入力されるように前記スイッチング部を制御してもよい。
【００１１】
ここで、前記グラフィック制御部は、入力される前記サブ映像が前記ソース情報に表示されるように前記グラフィック生成部を制御してもよい。
【００１２】
ここで、前記メイン映像及び前記サブ映像が別個のインターフェースを介してそれぞれ前記ビデオ生成部及び前記グラフィック生成部に入力されてもよい。ここで、前記メイン映像はＨＤＭＩを介して前記ビデオ生成部に入力され、前記サブ映像はＵＳＢまたはＰＣＩのいずれか一つを介して前記グラフィック生成部に入力してもよい。
【００１３】
ここで、前記グラフィック制御部は、ユーザーの選択によって、前記ソース情報内で前記サブ映像の大きさ及び位置を調節するように制御してもよい。
【００１４】
ここで、前記ディスプレイ装置は、前記ソース情報に含まれる映像のキャプチャーイメージ及び前記映像ソースに対応するアイコンイメージを記憶する記憶部をさらに備えてもよい。
【００１５】
ここで、前記グラフィック制御部は、前記映像ソースの少なくとも一つがオフになった場合に、前記記憶部に記憶された前記キャプチャーイメージまたは前記アイコンイメージを前記ソース情報に含めて生成するように制御してもよい。
【００１６】
また、上記の目的を達成するために、ディスプレイ部と、複数の映像ソースから映像信号を受信する映像受信部と、前記受信される映像信号のうち、第１のインターフェースを介して入力されるメイン映像を処理してビデオレイヤを生成するビデオ生成部と、前記受信される映像信号のうち、第２のインターフェースを介して入力されるサブ映像を処理してグラフィックレイヤを生成するグラフィック生成部と、前記ビデオレイヤと前記グラフィックレイヤとを合成して前記ディスプレイ部に表示するように制御する制御部と、を備えることを特徴とする、ディスプレイ装置が提供される。
【００１７】
ここで、前記グラフィックレイヤは、前記映像受信部を介して接続される映像ソースに関するソース情報を含み、前記ソース情報は、前記サブ映像を含んでもよい。
【００１８】
また、上記の目的を達成するために、少なくとも一つの映像ソースから映像信号を受信することと、受信した映像信号のいずれか一つに対応するメイン映像を生成することと、接続される前記映像ソースに関するソース情報を生成することと、を含み、前記ソース情報は、前記受信した映像信号に対応する映像を含むことを特徴とする、ディスプレイ装置の制御方法が提供される。
【００１９】
前記ディスプレイ装置の制御方法は、前記メイン映像と前記ソース情報とを合成して表示することをさらに含んでもよい。
【００２０】
ここで、前記ソース情報を生成することは、前記受信した映像信号のうち、前記メイン映像以外のサブ映像を前記ソース情報に含めて生成してもよい。ここで、前記メイン映像及び前記サブ映像はそれぞれ別個のインターフェースを介して別個の経路で処理されてもよい。
【００２１】
ここで、前記ディスプレイ装置の制御方法は、前記メイン映像及び前記サブ映像をそれぞれの経路に切り替えることをさらに含んでもよい。ここで、前記ディスプレイ装置の制御方法は、ユーザの選択によって、前記ソース情報内で前記サブ映像の大きさ及び位置を調節することをさらに含んでもよい。
【００２２】
ここで、前記ディスプレイ装置の制御方法は、前記サブ映像のキャプチャーイメージを記憶することをさらに含み、前記ソース情報は、前記映像ソースの少なくとも一つがオフになった場合に、前記サブ映像のキャプチャーイメージまたは前記映像ソースに対応するアイコンイメージを含んでもよい。
【発明の効果】
【００２３】
以上説明した通り、本発明によれば、外部映像ソースから入力される映像信号を用いて、接続される複数の映像ソースに関するソース情報をユーザに提供できるディスプレイ装置及びその制御方法を提供することが可能になる。
【図面の簡単な説明】
【００２４】
【図１】本発明に係るディスプレイ装置及び外部映像ソースを簡略に示す図である。
【図２】本発明に係るディスプレイ装置の制御ブロック図である。
【図３】メイン映像及びソース情報が表示された画面を示す図である。
【図４】メイン映像及びソース情報が表示された画面を示す図である。
【図５】本発明に係るディスプレイ装置の制御フロー図である。
【発明を実施するための形態】
【００２５】
以下、添付の図面を参照して、本発明の実施例について、本発明の属する技術の分野における通常の知識を有する者が容易に実施できるように詳細に説明する。本発明は種々の異なった形態にしてもよく、ここで説明する実施例に限定されない。本発明を明確に説明するために、説明と関連していない部分は省略し、明細書全体を通じて同一または類似の構成要素には同一の参照符号を付ける。
【００２６】
図１は、本発明に係るディスプレイ装置１００と複数の外部映像ソース２０１，２０２，２０３を示す図である。同図に示すように、ディスプレイ装置１００は、ＴＶでよく、ＤＶＤプレーヤー２０１，ＰＣ  ２０２、セットトップボックス２０３などの外部映像ソースとケーブルで接続し、それらの外部映像ソースから映像信号を受信することができる。同図では、ディスプレイ装置１００と外部映像ソース２０１，２０２，２０３間のインターフェースとしてＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）のみを示したが、ＶＧＡ（Ｖｉｄｅｏ  Ｇｒａｐｈｉｃ  Ａｒｒａｙｓ）、ＤＶＩ（Ｄｉｇｉｔａｌ  Ｖｉｓｕａｌ  Ｉｎｔｅｒｆａｃｅ）などの公知の他の規格のインターフェースを用いてもよい。以下では、便宜上、３個のＨＤＭＩポートを介して複数の映像ソース２０１，２０２，２０３が接続されるとして説明する。
【００２７】
各映像ソース２０１，２０２，２０３は、ディスプレイ装置１００の外面に設けられたポートを介してそれぞれ接続し、ディスプレイ装置１００は、ポートを介して接続された複数の映像ソース２０１，２０２，２０３に関する情報を含むソース情報を表示することによって、ユーザに各映像ソース２０１，２０２，２０３の接続を知らせることができる。
【００２８】
図２は、本発明に係るディスプレイ装置１００の制御ブロック図である。図２に示すように、ディスプレイ装置１００は、ディスプレイ部１１０、映像受信部１２０、メイン制御部１３０及びグラフィック制御部１４０を備え、さらに、ビデオ生成部１５０、グラフィック生成部１６０、記憶部１７０を備えることができる。
【００２９】
ディスプレイ部１１０は、後述するメイン制御部１３０及びグラフィック制御部１４０の制御によって生成された映像を表示する。ディスプレイ部１１０は、ＰＤＰ（Ｐｌａｓｍａ  Ｄｉｓｐｌａｙ  Ｐａｎｅｌ）、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｍｉｔｔｉｎｇ  Ｄｉｏｄｅｓ）、フレキシブルディスプレイ（ｆｌｅｘｉｂｌｅ  ｄｉｓｐｌａｙ）などの様々な方式のものとすればよく、特に限定されない。
【００３０】
映像受信部１２０は、複数の映像ソースから映像信号を受信する。映像受信部１２０は、ＶＧＡ、ＤＶＩ、ＨＤＭＩなどのインターフェース規格に基づく複数のインターフェースポートで構成され、ＤＶＤプレーヤ、ＰＣ、セットトップボックスなどの種々の外部映像ソースから映像信号を受信することができる。
【００３１】
メイン制御部１３０は、映像受信部１２０を介して受信される映像信号のいずれか一つに対応するメイン映像を生成するように制御する。本発明で、メイン映像とは、ユーザの選択によってディスプレイ装置１００に表示されるように設定された映像ソース、すなわち、ディスプレイ部１１０の全画面にわたって表示される映像を意味する。メイン制御部１３０は、ＣＰＵ（Ｃｅｎｔｒａｌ  Ｐｒｏｃｅｓｓｉｎｇ  Ｕｎｉｔ）で構成され、メイン映像の生成を制御する他、ディスプレイ装置１００の各構成の全般的な制御を担当することができる。
【００３２】
本発明に係るディスプレイ装置１００は、メイン映像を含むビデオレイヤを生成するビデオ生成部１５０をさらに備えることができる。映像受信部１２０を介して外部映像ソースから複数の映像信号が受信されると、それらのうち、メイン映像に対応する映像信号は、映像受信部１２０とビデオ生成部１５０間のインターフェースを介してビデオ生成部１５０に入力される。メイン映像とは、ユーザが視聴するために選択した映像のことを指す。ビデオ生成部１５０は、入力される映像信号を、メイン制御部１３０の制御によって、デコーディング（ｄｅｃｏｄｉｎｇ）、デインターレーシング（ｄｅ−ｉｎｔｅｒｌａｃｉｎｇ）、ノイズ低減（ｎｏｉｓｅ  ｒｅｄｕｃｔｉｏｎ）、ディテールエンハンスメント（ｄｅｔａｉｌ  ｅｎｈａｎｃｅｍｅｎｔ）、スケーリング（ｓｃａｌｉｎｇ）などの一連の映像処理プロセスによって処理してメイン映像を生成するもので、これらの映像処理プロセスを行うそれぞれのチップセットなどの回路構成が実装された回路ボードで構成されてよい。
【００３３】
グラフィック制御部１４０は、接続された映像ソースに関するソース情報を生成するように制御する。グラフィック制御部１４０は、ディスプレイ装置１００のグラフィック処理を担当するＧＰＵ（Ｇｒａｐｈｉｃｓ  Ｐｒｏｃｅｓｓｉｎｇ  Ｕｎｉｔ）で構成されてよく、ソース情報をはじめとして、ディスプレイ制御画面、付加情報画面などのグラフィック処理を担当する。ソース情報は、接続された外部の映像ソースに関する情報をユーザに知らせるためのもので、映像ソースが接続されたポート、インターフェースの種類、映像ソースの名称などを含むことができる。
【００３４】
本発明に係るディスプレイ装置１００は、ソース情報を含むグラフィックレイヤを生成するグラフィック生成部１６０をさらに備えることができる。グラフィック生成部１６０は、ビデオ生成部１５０で生成するメイン映像とは別に、グラフィック制御部１４０の制御によってグラフィックレイヤを生成する。グラフィック生成部１６０は、上述のビデオ生成部１５０で行う映像処理プロセスの少なくとも一部を行ってグラフィックレイヤを生成することができる。すなわち、図３に示すように、ビデオレイヤ３００とグラフィックレイヤ４００は別個の映像レイヤであり、それぞれ、ビデオ生成部１５０及びグラフィック生成部１６０により生成される。
【００３５】
グラフィック制御部１４０は、ソース情報の生成時に、映像受信部１２０を介して受信される映像信号に対応する映像がソース情報内に表示されるように制御する。すなわち、ディスプレイ部１１０に表示される動画が、ソース情報の一部に縮小して表示されるように制御する（４２１，４２２，４２３）。図３に示すように、ＨＤＭＩの１番ポートを介して接続したＤＶＤプレーヤにより再生される映像４１２と、ＨＤＭＩの２番ポートを介して接続したＰＣにより生成される映像４２２と、ＨＤＭＩの３番ポートを介して接続したセットトップボックスにより生成された映像４２３が、それぞれ、ソース情報内に表示されることが可能である。
【００３６】
従来のディスプレイ装置ではソース情報をテキストベースに表示しており、ユーザにとっては、映像ソースからいかなる映像が実際に入力されるかを直接確認し難い。本発明は、接続された映像ソースで生成している映像を動画としてユーザに直接表示することによって、ユーザが視聴可能な映像を容易に認識できるようにソース情報を提供することができる。
【００３７】
グラフィック制御部１４０は、ソース情報に映像を表示する時に、ユーザの選択によってソース情報内の映像の大きさ及び位置を調節するように制御してもよく、ユーザの選択のためにＵＩを生成して表示することができる。
【００３８】
このように、外部映像ソースから受信される映像を含むソース情報の生成のために、接続された全ての外部映像ソースの映像を一つの経路で処理し、ソース情報内に映像が直接表示されるように構成することは容易ではない。すなわち、ソース情報はグラフィック制御部１４０の制御によって生成されるから、メイン映像が処理される経路でメイン映像以外のサブ映像を共に伝送して処理することは容易ではなく、映像信号の伝送に多数のラインが要求され、回路の構成が複雑になる。
【００３９】
本発明に係るディスプレイ装置１００は、このような問題点に鑑み、メイン映像以外のＨＤＭＩ １、２、３によりそれぞれ入力されるサブ映像が、メイン映像と別個のインターフェースを介してグラフィック生成部１６０に入力されるように構成する。すなわち、ユーザにより選択されたメイン映像に対応する映像信号は、映像受信部１２０からビデオ生成部１５０に入力され、サブ映像に対応する映像信号は、グラフィック生成部１６０に入力された後、グラフィック制御部１４０の制御によって処理され、ソース情報内にそれぞれの映像が表示される。この時、メイン映像はＨＤＭＩを介してビデオ生成部１５０に入力され、サブ映像はＵＳＢ（Ｕｎｉｖｅｒｓａｌ  Ｓｅｒｉａｌ  Ｂｕｓ）またはＰＣＩｅ（Ｐｅｒｉｐｈｅｒａｌ  Ｃｏｍｐｏｎｅｎｔ  Ｉｎｔｅｒｃｏｎｎｅｃｔ  ｅｘｐｒｅｓｓ）を介してグラフィック生成部１６０に入力される構成とすることができる。
【００４０】
映像受信部１２０は、メイン映像がビデオ生成部１５０に入力され、サブ映像がグラフィック生成部１６０に入力されるように切り替えるスイッチング部（図示せず）を備えることができる。スイッチング部は、メイン制御部１３０の制御によって、ユーザーにより選択されたメイン映像、及び接続された映像ソースから入力される映像信号のうちメイン映像以外のサブ映像を、それぞれ、ビデオ生成部１５０及びグラフィック生成部１６０の経路に切り替える。スイッチング部は、公知のスイッチング素子とすればよい。
【００４１】
メイン制御部１３０は、ビデオ生成部１６０とグラフィック生成部１６０によりそれぞれ生成されたビデオレイヤとグラフィックレイヤとを合成してディスプレイ部１１０に表示するように制御する。これにより、視聴しようとするメイン映像と共にサブ映像が動画で表示され、よって、ユーザは外部映像ソースからいかなる映像が生成されるかを容易に視認できる。
【００４２】
ディスプレイ装置１００は、含まれる映像のキャプチャーイメージ及びそれぞれの映像ソースに対応するアイコンイメージを記憶する記憶部１７０をさらに備えることができる。記憶部１７０は、フラッシュメモリのような公知の不揮発性メモリとすればよい。また、記憶部１７０は、キャプチャーイメージ及びアイコンイメージだけでなく、他のデータを記憶してもよい。また、グラフィック制御部１４０は、映像受信部１２０を介して接続された映像ソースの少なくとも一つがオフになると、オフになった映像ソースに対応する、記憶部１７０に記憶されているキャプチャーイメージまたはアイコンイメージを、サブ映像に代えてソース情報に含めて生成する。
【００４３】
図４に示すように、接続された外部ソースのうち、ＨＤＭＩ １を介して接続されたＤＶＤプレーヤーがオフになった場合は、その映像信号が入力されず、グラフィック制御部１４０は、記憶部１７０に記憶されているキャプチャーイメージ４３１をソース情報に表示するように制御する。この時、キャプチャーイメージ４３１は、ＤＶＤプレーヤから映像信号が入力される時に周期的に捕捉されたイメージの一つでよい。他の実施例として、ＨＤＭＩを介して接続されたセットトップボックスがオフになった場合は、グラフィック制御部１４０は、記憶部１７０に記憶されているアイコンイメージ４３３をソース情報に表示するように制御する。アイコンイメージ４３３は、それぞれの映像ソースに対応するもので、記憶部１７０にあらかじめ記憶されていればよい。
【００４４】
上述したディスプレイ装置１００によれば、接続される複数の映像ソースに関するソース情報内に、入力される映像を表示することによって、いかなる映像信号が入力されているかをユーザが容易に認知できるようにし、さらに、そのための追加インターフェース設計時に生じうるグラフィック処理上の問題点及び回路構成の複雑化を防止することができる。
【００４５】
図５は、本発明に係るディスプレイ装置１００の制御フロー図である。ディスプレイ装置１００はＴＶでよく、外部映像ソースと接続して映像信号を受信することができる。
【００４６】
ディスプレイ装置１００は、外部に設けられた複数のインターフェースポートに接続されたＤＶＤプレーヤ、ＰＣ、セットトップボックスなどの複数の外部映像ソースからそれぞれ映像信号を受信する（Ｓ１１０）。ディスプレイ装置１００は、受信した複数の映像信号をそれぞれの経路で処理するために映像信号を切り替える（Ｓ１２０）。
【００４７】
映像信号を受信すると、受信した映像信号のうち、ユーザにより選択されたいずれか一つを処理してメイン映像を生成する（Ｓ１３０）。ディスプレイ装置１００は、メイン映像とは別個に、接続される映像ソースに関するソース情報を生成する（Ｓ１４０）。ここで、メイン映像とソース情報はそれぞれ別個の経路で入力されて生成されるので、メイン映像の生成（Ｓ１３０）とソース情報の生成（Ｓ１４０）とが同時に行われることが可能である。
【００４８】
ソース情報は、接続される外部の映像ソースに関する情報をユーザに知らせるためのもので、映像ソースが接続したポート、インターフェースの種類、映像ソースの名称などを含むことができる。特に、本発明に係るディスプレイ装置１００は、ソース情報に、受信される映像信号に対応する映像を含めて生成でき、メイン映像以外のサブ映像をソース情報に含めて生成することができる。メイン映像及びソース情報が生成される形態は、図３を用いて上述した通りである。
【００４９】
ソース情報の生成時に、入力される映像をソース情報に表示する際、ユーザの選択によってソース情報内で映像の大きさ及び位置を調節してもよい。
【００５０】
ソース情報の生成のために、接続された全ての外部映像ソースの映像を一つの経路で処理し、ソース情報内に映像が直接表示されるように構成することは容易ではない。そこで、ディスプレイ装置１００は、入力される映像信号のうち、メイン映像及びサブ映像を切り替え（Ｓ１１０）、それぞれ別個のインターフェースを介して別個の経路で処理する。例えば、メイン映像は、ＨＤＭＩを介してビデオ処理経路に、ソース情報は、ＵＳＢまたはＰＣＩｅを介してグラフィック処理経路に入力されてそれぞれ生成される。
【００５１】
ディスプレイ装置１００は、生成されるメイン映像及びソース情報を一つの映像に合成して表示する（Ｓ１５０）。その表示される形態は、図３を用いて説明した通りである。ディスプレイ装置１００に接続された映像ソースの少なくとも一つがオフになった場合は、その映像信号が入力されず、ディスプレイ装置１００は、当該サブ映像のキャプチャーイメージまたはアイコンイメージをソース情報に含めて表示してもよい。そのために、サブ映像のキャプチャーイメージをメモリに周期的に記憶させるとよい。
【００５２】
上述したディスプレイ装置の制御方法によれば、接続される複数の映像ソースに関するソース情報内に、入力される映像を表示することによって、いかなる映像信号が入力されているかをユーザが容易に認知できるようにし、さらに、そのための追加インターフェース設計時に生じうるグラフィック処理上の問題点及び回路構成の複雑化を防止することができる。
【００５３】
以上、添付の図面を参照して本発明の実施例を説明してきたが、本発明の属する技術の分野における通常の知識を有する者には、本発明の技術的思想や必須の特徴から逸脱することなく他の具体的な形態に実施できるということが理解されるであろう。したがって、以上に述べた実施例はいずれの面においても例示的なもので、限定的なものとして理解してはならない。本発明の範囲は、上記の詳細な説明に限定されず、添付の特許請求の範囲によって定められ、よって、特許請求の範囲の意味及び範囲、そしてその均等概念から導出される、変更または変形されるいずれの形態も本発明の範囲に含まれるものとして解釈しなければならない。
【符号の説明】
【００５４】
１００    ディスプレイ装置
１１０    ディスプレイ部
１２０    映像受信部
１３０    メイン制御部
１４０    グラフィック制御部
１５０    ビデオ生成部
１６０    グラフィック生成部
１７０    記憶部
【図１】
2014014075.tif 000003
【図２】
2014014075.tif 000004
【図３】
2014014075.tif 000005
【図４】
2014014075.tif 000006
【図５】
2014014075.tif 000007